(57)【要約】      （修正有）【課題】天吊り式であっても、操作パネルの視認及び操作が容易であり、しかも、その視認及び操作が容易な状態に簡単な操作で移行可能な消毒保管機を提供する。【解決手段】吊り込み枠１０１と、ダクト１０３、を有する消毒装置本体１００と、消毒装置本体１００による消毒動作を操作するための操作パネル２０１が前面に設けられた操作パネルボックス２００とを有している。消毒装置本体１００は、天井３００の上方に設けられている梁３０１に、吊り込み枠１０１を用いて固定することで、天井３００裏に設置することができる。ダクト１０３は、ダクト接続口１０２を介して、消毒保管すべき食器、調理器具及び備品等の器具を収容したコンテナ１０４と接続することができる。操作パネルボックス２００は、非使用時は消毒装置本体１００内に収納され、使用時は消毒装置本体１００から下方に引き出すことができるように構成されている。【選択図】図３
0003220325.tif 000002
【実用新案登録請求の範囲】
【請求項１】
天吊り式の消毒装置本体と、前記消毒装置本体による消毒動作を操作するための操作パネルと、前記操作パネルが前面に取り付けられており、非使用時は前記消毒装置本体内に収納される操作パネルボックスと、前記操作パネルボックスを前記消毒装置本体内で一時的に固定保持可能な保持手段とを備えており、前記操作パネルボックスは使用時に前記保持手段による固定保持を解除することによって前記消毒装置本体から下方に引き出すことができるように構成されていることを特徴とする消毒保管機。
【請求項２】
前記保持手段が、前記操作パネルボックス及び前記消毒装置本体の一方に取り付けられた突起部と、前記操作パネルボックス及び前記消毒装置本体の他方に取り付けられたキャッチ部とを備えており、前記突起部を前記キャッチ部内に挿入することにより、前記突起部が前記キャッチ部によって一時的に固定保持され、前記突起部を前記キャッチ部内でさらに押し込むことにより前記固定保持が解除されるように構成されていることを特徴とする請求項１に記載の消毒保管機。
【請求項３】
前記保持手段が、バネ式のワンタッチキャッチ部材から構成されていることを特徴とする請求項２に記載の消毒保管機。
【請求項４】
前記操作パネルボックスの側面に固着され上下方向に伸長する１対の上下方向ガイドレールと、前記消毒装置本体に固着されたキャリッジ取り付けフレームと、前記キャリッジ取り付けフレームに固着され前記１対の上下方向ガイドレールに嵌挿された１対の上下方向ガイドレールキャリッジとをさらに備えており、前記１対の上下方向ガイドレールキャリッジは前記１対の上下方向ガイドレールに沿って上下方向に摺動可能に構成されていることを特徴とする請求項１から３のいずれか１項に記載の消毒保管機。
【請求項５】
前記１対の上下方向ガイドレールの上部にそれぞれ固着された１対の下限ストッパをさらに備えており、前記１対の下限ストッパは前記操作パネルボックスを下方向に引き出した際に、前記キャリッジ取り付けフレームに当接し前記操作パネルボックスの落下を防止するように構成されていることを特徴とする請求項４に記載の消毒保管機。
【請求項６】
前記消毒装置本体に固着され、前後方向に伸長する１対の前後方向ガイドレールと、前記キャリッジ取り付けフレームに固着された１対の前後方向ガイドレールキャリッジとをさらに備えており、前記１対の前後方向ガイドレールキャリッジは前記１対の前後方向ガイドレールに沿って前後方向に摺動可能に構成されていることを特徴とする請求項４又は５に記載の消毒保管機。
【請求項７】
後下方向に傾斜して前記消毒装置本体に固着され、前記操作パネルボックスの前面下端が当接して摺動するように構成された下側パネルガイドと、前上方向に傾斜して前記消毒装置本体に固着され、前記操作パネルボックスの後面上端が当接して摺動するように構成された上側パネルガイドとをさらに備えており、前記操作パネルボックスは、下方に移動する場合は前記下側パネルガイドによって後下方向に摺動するように構成されており、上方に移動する場合は前記上側パネルガイドによって前上方向に摺動するように構成されていることを特徴とする請求項４から６のいずれか１項に記載の消毒保管機。
【請求項８】
前記キャリッジ取り付けフレームと前記操作パネルボックスとの間に連結され、前記操作パネルボックスを上方に付勢するバネ部材をさらに備えたことを特徴とする請求項４から７のいずれか１項に記載の消毒保管機。
【請求項９】
前記バネ部材がストロークに関係なく一定のトルクを提供可能な定荷重バネであることを特徴とする請求項８に記載の消毒保管機。
【考案の詳細な説明】
【技術分野】
【０００１】
本考案は、加熱により食器、調理器具及び備品等の器具の消毒を行う消毒保管機に係り、特に、コンテナ内に収容された器具の消毒を行う天吊り式の消毒保管機に関する。
【背景技術】
【０００２】
食器、調理器具及び備品等の器具の消毒は、一般に、消毒保管機の処理室内の温度を、加熱された空気や蒸気を循環させることによって、所定時間の間、所定温度に維持することで行われる。この場合、加熱の熱源として、電気ヒータやガス等があり、モータによって回転するファンにより、加熱された空気や蒸気が循環され、処理室内部の温度を上げることができる（特許文献１）。
【０００３】
このような消毒保管機には、調理器具等の移し替えの手間を省き、スペースを十分に確保するために、食器、調理器具及び備品等の器具を収容するコンテナ消毒装置本体とを分離できるように構成し、その消毒装置本体を天吊り式とした消毒保管機がある。
【先行技術文献】
【特許文献】
【０００４】
【特許文献１】特開平１０−５０６６号公報
【考案の概要】
【考案が解決しようとする課題】
【０００５】
しかしながら、従来の天吊り式の消毒保管機は、消毒装置本体が床から高い位置に天吊りされているため、この消毒装置本体の動作状態を表示しその動作を制御するための操作パネルを視認及び操作することが非常に困難であり、また、この操作パネルを視認及び操作が容易な状態に移行させること自体も困難であった。
【０００６】
従って、本考案は従来技術の上述した問題点を解消するものであり、本考案の目的は、天吊り式であっても、操作パネルの視認及び操作が容易であり、しかも、その視認及び操作が容易な状態に簡単な操作で移行可能な消毒保管機を提供することにある。
【課題を解決するための手段】
【０００７】
本考案によれば、消毒保管機は、天吊り式の消毒装置本体と、消毒装置本体による消毒動作を操作するための操作パネルと、操作パネルが前面に取り付けられており、非使用時は消毒装置本体内に収納される操作パネルボックスと、操作パネルボックスを消毒装置本体内で一時的に固定保持可能な保持手段とを備えている。操作パネルボックスは、使用時に保持手段による固定保持を解除することによって消毒装置本体から下方に引き出すことができるように構成されている。
【０００８】
操作パネルボックスは、非使用時は保持手段によって消毒装置本体内で一時的に固定保持され、使用時には保持手段による固定保持を解除することによって消毒装置本体から下方に引き出すことができる。従って、天吊り式の消毒保管機であっても、操作パネルの視認及び操作が容易となる。しかも、保持手段による固定保持を解除するのみで、その視認及び操作が容易な状態に移行可能となる。
【０００９】
保持手段が、操作パネルボックス及び消毒装置本体の一方に取り付けられた突起部と、操作パネルボックス及び消毒装置本体の他方に取り付けられたキャッチ部とを備えており、突起部をキャッチ部内に挿入することにより、突起部がキャッチ部によって一時的に固定保持され、突起部をキャッチ部内でさらに押し込むことにより固定保持が解除されるように構成されていることが好ましい。このような構造で固定保持及び固定保持解除が行われるため、操作パネルボックスを操作パネルの視認及び操作が容易な位置まで簡単に引き出すことができる。
【００１０】
この場合、保持手段が、バネ式のワンタッチキャッチ部材から構成されていることがより好ましい。ワンタッチキャッチ部材が磁石式ではなくバネ式であるため、磁気による電子機器への悪影響を与えることがない。
【００１１】
操作パネルボックスの側面に固着され上下方向に伸長する１対の上下方向ガイドレールと、消毒装置本体に固着されたキャリッジ取り付けフレームと、キャリッジ取り付けフレームに固着され１対の上下方向ガイドレールに嵌挿された１対の上下方向ガイドレールキャリッジとをさらに備えており、１対の上下方向ガイドレールキャリッジは１対の上下方向ガイドレールに沿って上下方向に摺動可能に構成されていることも好ましい。このように、上下方向ガイドレールに沿って上下方向ガイドレールキャリッジが摺動するように構成されているため、操作パネルボックスを滑らかに引き出すことができる。
【００１２】
１対の上下方向ガイドレールの上部にそれぞれ固着された１対の下限ストッパをさらに備えており、１対の下限ストッパは操作パネルボックスを下方向に引き出した際に、キャリッジ取り付けフレームに当接し操作パネルボックスの落下を防止するように構成されていることも好ましい。下限ストッパの下降がキャリッジ取り付けフレームによって抑止されるため、操作パネルボックスを適切な位置に配置して消毒操作を行うことができる。
【００１３】
消毒装置本体に固着され、前後方向に伸長する１対の前後方向ガイドレールと、キャリッジ取り付けフレームに固着された１対の前後方向ガイドレールキャリッジとをさらに備えており、１対の前後方向ガイドレールキャリッジは１対の前後方向ガイドレールに沿って前後方向に摺動可能に構成されていることが好ましい。
【００１４】
後下方向に傾斜して消毒装置本体に固着され、操作パネルボックスの前面下端が当接して摺動するように構成された下側パネルガイドと、前上方向に傾斜して消毒装置本体に固着され、操作パネルボックスの後面上端が当接して摺動するように構成された上側パネルガイドとをさらに備えており、操作パネルボックスは、下方に移動する場合は下側パネルガイドによって後下方向に摺動するように構成されており、上方に移動する場合は上側パネルガイドによって前上方向に摺動するように構成されていることも好ましい。これにより、操作パネルボックスを下方に移動する場合に、その前面に装着された操作パネルが後退して消毒装置本体からスムーズに引き出される。また、その際に下側パネルガイドが操作パネルボックスを支えるため、この操作パネルボックスの重さを軽減することができ、操作パネルボックスが不用意に引き出されるのを防ぐことができる。一方、操作パネルボックスを上方に移動する場合に、操作パネルが前進して消毒装置本体の前面に配置される。
【００１５】
キャリッジ取り付けフレームと操作パネルボックスとの間に連結され、操作パネルボックスを上方に付勢するバネ部材をさらに備えたことも好ましい。このようなバネ部材を設けることにより、操作パネルボックスを下方向に引き下げると、バネ部材の応力により復元力が生じる。これにより、操作パネルボックスを引き下げる際に急な落下を防止することができ、一方、操作パネルボックスを引き上げて消毒装置本体内に収納する際は、その復元力が上下方向ガイドレールに沿った摺動を補助して滑らかに移動させることができる。
【００１６】
バネ部材がストロークに関係なく一定のトルクを提供可能な定荷重バネであることがより好ましい。
【考案の効果】
【００１７】
本考案によれば、天吊り式の消毒保管機であっても、操作パネルの視認及び操作が容易となり、しかも、保持手段による固定保持を解除するのみで、その視認及び操作が容易な状態に移行可能となる。
【図面の簡単な説明】
【００１８】
【図１】本考案の消毒保管機の一実施形態である天吊り式コンテナ消毒装置における消毒装置本体の全体の外観構成を概略的に示す（ａ）正面図、（ｂ）側面図である。
【図２】図１の実施形態における消毒装置本体をコンテナと接続した状態の外観構成を概略的に示す（ａ）正面図、（ｂ）側面図である。
【図３】図１の実施形態における消毒装置本体から操作制御パネルボックスを引き出した状態の外観構成を概略的に示す（ａ）正面図、（ｂ）側面図である。
【図４】図１の実施形態における消毒装置本体の内部構造を前面下方から見た斜視図である。
【図５】図１の実施形態における消毒装置本体の内部構造を後面上方から見た斜視図である。
【図６】図１の実施形態における消毒装置本体のダクト下降時の内部構造を後面上方から見た斜視図である。
【図７】図１の実施形態における操作パネルボックス及び消毒装置本体内部に設けられたパネルカバー周辺の構成を後面上方から見た斜視図である。
【図８】図１の実施形態における操作パネルボックス及び消毒装置本体内部に設けられたパネルカバー周辺の構成を前面上方から見た斜視図である。
【図９】図１の実施形態における操作パネルボックスを引き出す過程を前面上方から見た斜視図である。
【図１０】図１の実施形態における操作パネルボックスを引き出した状態を前面上方から見た斜視図である。
【図１１】図１の実施形態における消毒装置本体のキャリッジ取り付けフレームの構成を概略的に示す（ａ）正面図、（ｂ）平面図である。
【図１２】図１の実施形態における消毒装置本体のキャリッジ取り付けフレームと上下方向ガイドレールとの位置関係を示す（ａ）平面図、（ｂ）側面図である。
【図１３】図１の実施形態におけるパネルカバー及び操作パネルボックス上部を模式的に示した側面図である。
【図１４】図１の実施形態における消毒装置本体のガイドレール周辺を前面上方向から見た斜視図である。
【図１５】図１の実施形態における消毒装置本体から操作パネルボックスを引き出した状態を概略的に示す側面図である。
【図１６】図１の実施形態における消毒装置本体から操作パネルボックスを引き出す途中の状態を概略的に示す側面図である。
【図１７】図１の実施形態における消毒装置本体に操作パネルボックスが収納された状態を示す概略的に示す側面図である。
【考案を実施するための形態】
【００１９】
以下、本考案に係る消毒保管機について図を参照して説明する。
【００２０】
図１は本考案の消毒保管機の一実施形態である天吊り式コンテナ消毒装置の消毒装置本体１００の外観構成を示しており、（ａ）は消毒装置本体１００の正面を、（ｂ）はその側面をそれぞれ示している。図２は消毒装置本体１００をコンテナ１０４に接続した状態を示しており、（ａ）はその正面を、（ｂ）はその側面をそれぞれ示している。図３は消毒装置本体１００から操作パネルボックス２００を引き出した状態の外観構成を概略的に示しており、（ａ）はその正面を、（ｂ）はその側面をそれぞれ示している。図４は消毒装置本体１００について前面下方から見た内部構造を示している。図５は消毒装置本体１００について後面上方から見た内部構造を示している。図６はダクトが降下した消毒装置本体１００について後面上方から見た構成を示している。
【００２１】
これらの図に示すように、本実施形態の天吊り式コンテナ消毒装置における消毒装置本体１００は、吊り込み枠１０１と、２つのダクト１０３と、消毒装置本体１００による消毒動作を操作するための操作パネル２０１が前面に設けられた操作パネルボックス２００とを有している。消毒装置本体１００は、天井３００の上方に設けられている梁３０１に、吊り込み枠１０１を用いて固定することで、天井３００裏に設置することができる。ダクト１０３は、耐熱性ガラスクロス製のジャバラダクトの側面を金属製の板で覆った構造、又は、金属製の板２枚で、断熱材を挟んだ構造を有している。ダクト１０３は、ダクト接続口１０２を介して、消毒保管すべき食器、調理器具及び備品等の器具を収容したコンテナ１０４と接続することができる。操作パネルボックス２００は、非使用時は消毒装置本体１００内に収納され、使用時は消毒装置本体１００から下方に引き出すことができるように構成されている。
【００２２】
消毒装置本体１００の内部には、ヒータ１０９と、ファンモータ１０７と、庫内の水蒸気を排出することが可能な自動ダンパ１０６と、コンテナ１０４に連結されるダクト１０３と、ダクト昇降用の昇降モータ１０８とが設けられている。ダクト１０３は、ダクト昇降モータ１０８によって上下方向に駆動されるように構成されており、このダクト昇降モータ１０８でダクト１０３を下降させることで、コンテナ１０４と連結可能となっている。ヒータ１０９は電気加熱式のシーズヒータであり、コンテナ１０４内の空気を４０℃から１３０℃の範囲に加熱することができる。ヒータ１０９によって加熱された空気は、ファンモータ１０７に連結されたファンによって一方のダクト１０３を介してコンテナ１０４内に送り込まれ、他方のダクト１０３を介してコンテナ１０４から取り込まれた空気は再びヒータ１０９によって加熱され、コンテナ１０４に送り込まれる。
【００２３】
図７は操作パネルボックス２００及び消毒装置本体１００内部に設けられたパネルカバー２１０の周辺について後面上方から見た構成を示しており、図８は操作パネルボックス２００及び消毒装置本体１００内部に設けられたパネルカバー２１０の周辺について前面上方から見た構成を示している。図９は操作パネルボックス２００を引き出す途中の前面上方から見た構成を示しており、図１０は操作パネルボックス２００を引き出した後の前面上方から見た構成を示している。図１１は消毒装置本体１００のキャリッジ取り付けフレームの構成を概略的に示しており、図１２は消毒装置本体１００のキャリッジ取り付けフレームと上下方向ガイドレールとの位置関係を示している。
【００２４】
これらの図に示すように、操作パネルボックス２００は、その筐体がステンレス製であり、その前面に設けられた操作パネル２０１と、その下面に取り付けられた取手２０２と、その上面から上方向に伸長している定荷重バネ用ダクト２０４と、その上面から上方向に伸長している配線ダクト２０７とを備えている。
【００２５】
さらに、操作パネルボックス２００の左右の側面には、上下方向に伸長するアルミニウム合金製（アルマイト処理）の１対の上下方向ガイドレール２０５がそれぞれ取り付けられている。消毒装置本体１００には、ステンレス製のキャリッジ取り付けフレーム２２０が固着されており、このキャリッジ取り付けフレーム２２０には１対の上下方向ガイドレール２０５に嵌挿されたステンレス製の１対の上下方向ガイドレールキャリッジ２２２が固着されている。即ち、上下方向ガイドレール２０５には凹溝２０５ａが形成されており、この凹溝２０５ａに上下方向ガイドレールキャリッジ２２２の凸条２２２ａが嵌合して摺動するように構成されている。これにより、１対の上下方向ガイドレールキャリッジ２２２はそれぞれ１対の上下方向ガイドレール２０５に沿って上下方向に摺動可能である。このように、上下方向ガイドレール２０５に沿って上下方向ガイドレールキャリッジ２２２が摺動するように構成されているため、操作パネルボックス２００を消毒装置本体１００から滑らかに引き出すことができる。
【００２６】
１対の上下方向ガイドレール２０５の上部にはステンレス製の１対の下限ストッパ２０６がそれぞれボルト等により固着されている。これら１対の下限ストッパ２０６は操作パネルボックス２００を下方向に引き出した際に、キャリッジ取り付けフレーム２２０に当接するので、操作パネルボックス２００の落下を防止することができる。このように、下限ストッパ２０６の下降がキャリッジ取り付けフレーム２２０によって抑止されるため、操作パネルボックス２００を適切な位置に配置して消毒操作を行うことができる。
【００２７】
定荷重バネ用ダクト２０４及び配線ダクト２０７は操作パネルボックス２００にボルトで固定されている。定荷重バネ用ダクト２０４はストロークに関係なく一定のトルクを提供する定荷重バネ（コンストン（登録商標）バネ）２２３を内部に収容している。配線ダクト２０７は、操作パネル２０１と消毒装置本体１００の各種機器とを電気的に接続する配線部材を内部に収納している。
【００２８】
操作パネルボックス２００の上部には、ワンタッチキャッチ部材２１３が設けられている。このワンタッチキャッチ部材２１３は、本考案の保持手段を構成しており、操作パネルボックス２００を消毒装置本体１００内で一時的に固定保持し、この固定保持を解除することによって消毒装置本体１００から下方に引き出すことができるように構成されている。
【００２９】
図１３はパネルカバー２１０及び操作パネルボックス２００の上部を側面から模式的に示しており、（ａ）はワンタッチキャッチ部材２１３によって操作パネルボックス２００が消毒装置本体１００内に固定保持されている状態を、（ｂ）はワンタッチキャッチ部材２１３によるこの固定保持が解除されている状態をそれぞれ示している。
【００３０】
同図に示すように、ワンタッチキャッチ部材２１３は、突起部２１３ａと、この突起部２１３ａを１対のアーム内に嵌合させて閉じるキャッチ部２１３ｂと、キャッチ部２１３ｂのアームを閉じる方向に付勢する図示しないバネとを備えている。このワンタッチキャッチ部材２１３は、バネを除いて樹脂製であり、先端が球形状の突起部２１３ａの首部をバネによって付勢されたキャッチ部２１３ｂのアームが捉えて閉じることでロックされ、固定保持が行われる。突起部２１３ａをキャッチ部２１３ｂ内にさらに押し込むことによってキャッチ部２１３ｂのロックが解除され、固定保持が解除される。ワンタッチキャッチ部材２１３の突起部２１３ａは操作パネルボックス２００の上面に取り付けられたＬ字状に曲げられたステンレス製の板部材に操作パネルボックス２００の前面に向かって斜め上方に傾斜した状態で取り付けられており、キャッチ部２１３ｂはパネルカバー２１０上に突起部２１３ａの傾斜角と同角度になるように加工されたステンレス製の板部材にネジで固定されている。ワンタッチキャッチ部材２１３はバネ式の構成ではなく磁石式の構成であっても良い。ただし、バネ式とすれば、操作パネルボックス２００の電子機器に磁気による悪影響を与えることがない。
【００３１】
同図（ａ）に示すように、ワンタッチキャッチ部材２１３の突起部２１３ａがキャッチ部２１３ｂに捉えられて閉じられた状態（固定保持状態）にあるとき、操作パネルボックス２００を若干上方に押し上げると、突起部２１３ａがキャッチ部２１３ｂ内にさらに押し込まれるのでキャッチ部２１３ｂのロックが解除され、同図（ｂ）に示すように固定保持が解除された状態となる。これにより、操作パネルボックス２００を消毒装置本体１００から下方に引き出すことが可能となる。
【００３２】
図１４は消毒装置本体１００のガイドレール周辺を前面上方向から見た構成を示しており、（ａ）は操作パネルボックス２００が消毒装置本体１００内に収納された状態を、（ｂ）は操作パネルボックス２００を引き出す状態をそれぞれ示している。図１５は消毒装置本体１００から操作パネルボックス２００を引き出した状態を概略的に示しており、図１６は消毒装置本体１００から操作パネルボックス２００を引き出す途中の状態を概略的に示しており、図１７は消毒装置本体１００に操作パネルボックス２００が収納された状態を概略的に示している。
【００３３】
これらの図に示すように、消毒装置本体１００のステンレス製の底面２１７には、前後方向に伸長するアルミニウム合金製（アルマイト処理）の１対の前後方向ガイドレール２１２が台座２１１を介して固定されている。キャリッジ取り付けフレーム２２０には、ステンレス製の１対の前後方向ガイドレールキャリッジ２２１が固着されており、これら１対の前後方向ガイドレールキャリッジ２２１は１対の前後方向ガイドレール２１２にそれぞれ嵌挿されている。即ち、前後方向ガイドレール２１２には凹溝２１２ａが形成されており、この凹溝２１２ａに前後方向ガイドレールキャリッジ２２１の凸条２２１ａが嵌合して摺動するように構成されている。これにより、１対の前後方向ガイドレールキャリッジ２２１は、それぞれ１対の前後方向ガイドレール２１２に沿って前後方向に摺動可能となっている。
【００３４】
図１５〜図１７に示すように、消毒装置本体１００には、操作パネルボックス２００の前面下端が当接して摺動するように樹脂製の下側パネルガイド２１４が後下方向に傾斜して固着されており、さらに、操作パネルボックス２００の後面上端が当接して摺動するように上側パネルガイド２１６が前上方向に傾斜して固着されている。この下側パネルガイド２１４は、ワンタッチキャッチ部材２１３の傾斜角と同角度となるように加工されたステンレス板にネジによって固定されている。下側パネルガイド２１４の後端は、上下方向に伸長する前面部パネルガイド２１５に連結されている。この構成により、操作パネルボックス２００は、下方に移動する場合は下側パネルガイド２１４によって後下方向に摺動し、上方に移動する場合は樹脂製の上側パネルガイド２１６によって前上方向に摺動する。その結果、操作パネルボックス２００を下方に移動する場合に、その前面に装着された操作パネル２０１が後退して消毒装置本体１００からスムーズに引き出される。また、その際に下側パネルガイド２１４が操作パネルボックス２００を支えるため、この操作パネルボックス２００の重さを軽減することができ、操作パネルボックス２００が不用意に引き出されるのを防ぐことができる。一方、操作パネルボックス２００を上方に移動する場合に、操作パネル２０１が前進して消毒装置本体１００の前面に配置される。
【００３５】
キャリッジ取り付けフレーム２２０と操作パネルボックス２００との間には、操作パネルボックス２００を上方に付勢する定荷重バネ（コンストン（登録商標）バネ）２２３が連結されている。このような定荷重バネ２２３を設けることにより、操作パネルボックス２００を下方向に引き下げると、定荷重バネ２２３の応力により復元力が生じる。これにより、操作パネルボックス２００を引き下げる際に急な落下を防止することができ、一方、操作パネルボックス２００を引き上げて消毒装置本体１００内に収納する際は、その復元力が上下方向ガイドレール２０５に沿った摺動を補助して滑らかに移動させることができる。
【００３６】
次に、本実施形態の消毒保管機の動作を説明する。
【００３７】
消毒保管すべき食器、調理器具及び備品等の器具を収容したコンテナ１０４を消毒装置本体１００の下方に配置し、図示しないリモコン装置を操作して２つのダクト１３０を下降させそのダクト接続口１０２をコンテナ１０４に接続する。
【００３８】
次いで、操作者が手動で操作パネルボックス２００を消毒装置本体１００から下方に引き出す。この操作パネルボックス２００の引き出しは、この操作パネルボックス２００が消毒装置本体１００内に収納された状態において、まず、取手２０２を一度上方に押し上げる。これにより、ワンタッチキャッチ部材２１３の突起部２１３ａがキャッチ部２１３ｂ内に押し込まれ、ワンタッチキャッチ部材２１３の固定保持が解除される。次いで、取手２０２を下方に引き下げることにより、操作パネルボックス２００の前面下側の一辺が下側パネルガイド２１４に当接した状態でこれに沿って摺動し、後方下側に引き出される。その際に、この操作パネルボックス２００の動きと連動して、キャリッジ取り付けフレーム２２０が前後方向ガイドレール２１２に沿って、後方へ移動するため、操作パネルボックス２００は斜め後方下側へ移動し、図１５に示すように消毒装置本体１００の下方に完全に引き出される。この操作パネルボックス２００の移動と連動して定荷重バネ２２３が伸ばされることで操作パネルボックス２００を上方に引っ張る復元力が生じ、操作パネルボックス２００が急に落下することが防止される。
【００３９】
このように操作パネルボックス２００を消毒装置本体１００の下方に引き出すことにより、操作パネル２０１の表示内容の視認が非常に容易となり、また、温度設定等の操作も非常に容易となる。
【００４０】
このように引き出されている操作パネルボックス２００（図１５参照）を消毒装置本体１００内に収容する場合は、取手２０２を上方に押し上げることで、図１６に示すように操作パネルボックス２００の後面上側の一辺が上側パネルガイド２１６に当接し、さらに上方に押し上げることで、操作パネルボックス２００は、上側パネルガイド２１６に当接した状態でこれに沿って摺動し、前面上方に斜めに上昇する。この場合、定荷重バネ２２３の復元力が取手２０２を押し上げることを補助するため、滑らかに上昇させることができる。上側パネルガイド２１６が操作パネルボックス２００の上面に斜めに設置されたワンタッチキャッチ部２１３と同角度に設置されているため、操作パネルボックス２００を上側パネルガイド２１６に沿ってそのまま上昇させると、ワンタッチキャッチ部２１３の突起部２１３ａがキャッチ部２１３ｂ内に押し込まれ固定保持される。このようにして、図１７に示すように、操作パネルボックス２００は消毒装置本体１００内に収納される。
【００４１】
以上詳細に説明したように、本実施形態によれば、天吊り式コンテナ消毒装置において、操作パネルボックス２００は、非使用時はワンタッチキャッチ部２１３によって消毒装置本体１００内で一時的に固定保持され、使用時にはワンタッチキャッチ部２１３による固定保持を解除することによって消毒装置本体１００から下方に引き出すことができる。従って、天吊り式の消毒保管機であっても、操作パネル２０１の視認及び操作が容易となる。しかも、ワンタッチキャッチ部２１３による固定保持を解除するのみで、その視認及び操作が容易な状態に移行可能となる。
【符号の説明】
【００４２】
１００  消毒装置本体
１０１  吊り込み枠
１０２  ダクト接続口
１０３  ダクト
１０４  コンテナ
１０５  車輪
１０６  自動ダンパ
１０７  ファンモータ
１０８  昇降モータ
１０９  ヒータ
２００  操作パネルボックス
２０１  操作パネル
２０２  取手
２０４  定荷重バネ用ダクト
２０５  上下方向ガイドレール
２０５ａ、２１２ａ  凹溝
２０６  下限ストッパ
２０７  配線ダクト
２１０  パネルカバー
２１１  台座
２１２  前後方向ガイドレール
２１３  ワンタッチキャッチ部材
２１３ａ  突起部
２１３ｂ  キャッチ部
２１４  下側パネルガイド
２１５  前面部パネルガイド
２１６  上側パネルガイド
２１７  底面
２１８  ガイドレールカバー
２２０  キャリッジ取り付けフレーム
２２１  前後方向ガイドレールキャリッジ
２２１ａ、２２２ａ  凸条
２２２  上下方向ガイドレールキャリッジ
２２３  定荷重バネ
２２４  ガイドレール孔
３００  天井
３０１  梁
【図１】
0003220325.tif 000003
【図２】
0003220325.tif 000004
【図３】
0003220325.tif 000005
【図４】
0003220325.tif 000006
【図５】
0003220325.tif 000007
【図６】
0003220325.tif 000008
【図７】
0003220325.tif 000009
【図８】
0003220325.tif 000010
【図９】
0003220325.tif 000011
【図１０】
0003220325.tif 000012
【図１１】
0003220325.tif 000013
【図１２】
0003220325.tif 000014
【図１３】
0003220325.tif 000015
【図１４】
0003220325.tif 000016
【図１５】
0003220325.tif 000017
【図１６】
0003220325.tif 000018
【図１７】
0003220325.tif 000019